(57)【要約】【課題】外観意匠性、耐候性、施工性に優れた外壁施工構造を提供すること。【解決手段】外壁板２を上下合決り接合しつつ留め付け金具５によって構造躯体１０に留め付けてなる外壁施工構造１。留め付け金具５は下側に配される外壁板２の上部下実２１と上側に配される外壁板２の下部上実２２とを係止している。複数枚の外壁板２のうちの寸法調整外壁板２０の切断端部２３は、端部施工金具３を介して構造躯体１０に固定されている。端部施工金具３は、構造躯体１０に固定される背板部３１と、その一端から前方へ屈曲した前方屈曲部３２とを有する。端部施工金具３は、背板部３１を寸法調整外壁板２０の裏側面２６に当接させ、前方屈曲部３２を寸法調整外壁板２０の切断端面２３１に当接させている。背板部３１と寸法調整外壁板２０の裏側面２６とは接着剤１１によって互いに接着されている。【選択図】図１
2006207221.tif 000002
【特許請求の範囲】
【請求項１】
外壁板を複数枚上下合決り接合しつつ留め付け金具によって建物の構造躯体に留め付けてなる外壁施工構造において、
上記留め付け金具は、下側に配される上記外壁板の上辺に形成された上部下実と、上側に配される上記外壁板の下辺に形成された下部上実とを係止した状態で、上記構造躯体に固定されており、
上記複数枚の外壁板のうち、上下幅を調整するために切断された切断端部を有する寸法調整外壁板については、上記切断端部が端部施工金具によって構造躯体に固定されており、
上記端部施工金具は、上記構造躯体に固定される背板部と、該背板部の一端から前方へ屈曲した前方屈曲部とを有し、
上記端部施工金具は、上記背板部を上記寸法調整外壁板の裏側面に当接させると共に、上記前方屈曲部を上記寸法調整外壁板の切断端面に当接させており、
上記背板部と上記寸法調整外壁板の上記裏側面とは、接着剤によって互いに接着されていることを特徴とする外壁施工構造。
【請求項２】
請求項１において、上記寸法調整外壁板の上記切断端部は、上記寸法調整外壁板の左右幅方向に対して傾斜しており、上記端部施工金具は、上記切断端部に沿って上記寸法調整外壁板の左右幅方向に対して傾斜した状態で配設されていることを特徴とする外壁施工構造。
【請求項３】
請求項２において、上記寸法調整外壁板は、上記建物における下屋根との流れ側の取り合い部に配置されており、上記寸法調整外壁板の上記切断端部は、上記端部施工金具によって上記構造躯体に固定されていることを特徴とする外壁施工構造。
【請求項４】
請求項１において、上記寸法調整外壁板は、上記建物における下屋根との棟側の取り合い部、開口部の上側もしくは下側、或いはオーバーハング部に配置されており、上記寸法調整外壁板の上記切断端部は、上記端部施工金具によって上記構造躯体に固定されていることを特徴とする外壁施工構造。
【請求項５】
請求項１〜４のいずれか一項において、上記留め付け金具及び上記端部施工金具は、上記構造躯体に固定された胴縁に対して固定されていることを特徴とする外壁施工構造。
【請求項６】
請求項１〜５のいずれか一項において、上記留め付け金具は、上記外壁板の裏側面に当接する基板部を有し、上記端部施工金具の上記背板部と上記留め付け金具の上記基板部とは、同等の前後幅を有していることを特徴とする外壁施工構造。
【請求項７】
請求項１〜６のいずれか一項において、上記外壁板は、焼成基材からなる窯業系外壁板であることを特徴とする外壁施工構造。
【発明の詳細な説明】
【技術分野】
【０００１】
本発明は、外壁板を複数枚上下合決り接合しつつ留め付け金具によって建物の構造躯体に留め付けてなる外壁施工構造に関する。
【背景技術】
【０００２】
従来より、図１５、図１６に示すごとく、柱や胴差等からなる建物の構造躯体９０に固定された胴縁９３に対して外壁板９２を固定してなる外壁施工構造９がある。
該外壁施工構造９においては、上側に配される上記外壁板９２の下部上実９２２と、下側に配される外壁板９２の上部下実９２１とを、留め付け金具９５によって係止している。そして、該留め付け金具９５は、ビス９４によって構造躯体９０に固定された胴縁９３に固定されている。これにより、外壁板９２が、胴縁９３を介して構造躯体９０に固定される。
【０００３】
留め付け金具９５は、図１５に示すごとく、外壁板９２の裏側面９２６に当接すると共に胴縁９３に固定される基板部９５１が、外壁板９２との当接面と胴縁９３との当接面との間に所定の前後幅を設けている。これにより、胴縁９３と外壁板９２との間に通気層９０１を確保している。
【０００４】
ところが、上記のような外壁施工構造９においても、留め付け金具９５を使用することができない施工部分がある。
例えば、図１６に示すごとく、建物の下屋根９０２との取り合い部に配設される外壁板９２は、その上下幅を調整するために切断する場合がある（特許文献１参照）。この切断端部９２３を有する寸法調整外壁板９２０においては、外壁板９２の下辺に形成されていた下部上実９２２（図１５参照）が切除されることとなり、寸法調整外壁板９２０の下端部については上記留め付け金具９５によって係止することができなくなる。
【０００５】
そこで、寸法調整外壁板９２０の切断端部９２３に対しては、その表面から釘９９を打つことにより、上記切断端部９２３を構造躯体９０に横方向に固定された胴縁９３に固定している。その場合、寸法調整外壁板９２０の上辺においては、上記留め付け金具９５が上部下実９２１を係止しているので、外壁施工面を略同一平面上に揃えるために、寸法調整外壁板９２０と胴縁９３との間にスペーサ９８を介在させている。
【０００６】
しかしながら、上記寸法調整外壁板９２０に対する釘打ち施工は、その部分についてどうしても外観意匠性が低下するおそれがある。即ち、折角他の部分については留め付け金具９５を用いた金具施工によって優れた外観を確保しているものの、上記のごとく金具施工が困難な一部分についてのみ、釘打ち施工を余儀なくされることにより、外観意匠性が低下することとなる。
【０００７】
また、釘打ち部分については、外観性向上のため、後から補修塗装が必要となり、施工効率を低下させ、施工コストを引き上げてしまう。また、釘打ちを行うと、外壁板の割れや欠けの発生を招き、釘打ち部分から漏水するおそれもある。
更に、外壁板として、焼成基材のように硬い材料を用いる場合には、釘打ちにより亀裂が入るなど外壁板の損傷が生じやすいという問題もある。
上記のような問題は、下屋根との取り合い部のみならず、開口部の上側もしくは下側、或いはオーバーハング部等、寸法調整外壁板を使用する他の施工場所においても生じうる。
【０００８】
【特許文献１】特許第３５０１２２４号公報
【発明の開示】
【発明が解決しようとする課題】
【０００９】
本発明は、かかる従来の問題点に鑑みてなされたもので、外観意匠性、耐候性、施工性に優れた外壁施工構造を提供しようとするものである。
【課題を解決するための手段】
【００１０】
本発明は、外壁板を複数枚上下合決り接合しつつ留め付け金具によって建物の構造躯体に留め付けてなる外壁施工構造において、
上記留め付け金具は、下側に配される上記外壁板の上辺に形成された上部下実と、上側に配される上記外壁板の下辺に形成された下部上実とを係止した状態で、上記構造躯体に固定されており、
上記複数枚の外壁板のうち、上下幅を調整するために切断された切断端部を有する寸法調整外壁板については、上記切断端部が端部施工金具によって構造躯体に固定されており、
上記端部施工金具は、上記構造躯体に固定される背板部と、該背板部の一端から前方へ屈曲した前方屈曲部とを有し、
上記端部施工金具は、上記背板部を上記寸法調整外壁板の裏側面に当接させると共に、上記前方屈曲部を上記寸法調整外壁板の切断端面に当接させており、
上記背板部と上記寸法調整外壁板の上記裏側面とは、接着剤によって互いに接着されていることを特徴とする外壁施工構造にある（請求項１）。
【００１１】
次に、本発明の作用効果につき説明する。
上記外壁施工構造においては、上記端部施工金具を用いて、上記寸法調整外壁板の切断端部を構造躯体に固定している。そのため、従来のように上記切断端部において釘打ち施工を行う必要がない。これにより、優れた外観意匠性を確保することができる。即ち、上記寸法調整外壁板を含めた全ての外壁板を、金具によって施工することが可能となるため、優れた外観を確保することができる。
【００１２】
また、上記のごとく切断端部についても釘打ちを行う必要がないため、釘打ち施工の場合のように、その後の補修塗装の必要もなく、施工効率の向上、施工コストの低減を実現することができる。
また、外壁板に対して損傷を与えるおそれもないため、漏水発生のおそれがなく、外壁板の耐候性を充分に確保することができる。
【００１３】
以上のごとく、本発明によれば、外観意匠性、耐候性、施工性に優れた外壁施工構造を提供することができる。
【発明を実施するための最良の形態】
【００１４】
本発明において、上記外壁板は、例えば窯業系材料からなるものを用いることができ、横張施工用の外壁板とすることができる。
また、上記端部施工金具は、例えば、上下幅４０〜８０ｍｍ、左右幅９００〜３０３０ｍｍの横長形状を有するものとすることができる。
【００１５】
また、上記寸法調整外壁板の上記切断端部は、上記寸法調整外壁板の左右幅方向に対して傾斜しており、上記端部施工金具は、上記切断端部に沿って上記寸法調整外壁板の左右幅方向に対して傾斜した状態で配設されていてもよい（請求項２）。
この場合には、斜めに配される切断端部を端部施工金具によって構造躯体に容易に固定することができ、外観意匠性、耐候性、施工性に優れた外壁施工構造を提供することができる。
【００１６】
そして、例えば、上記寸法調整外壁板は、上記建物における下屋根との流れ側の取り合い部に配置されており、上記寸法調整外壁板の上記切断端部は、上記端部施工金具によって上記構造躯体に固定されていてもよい（請求項３）。
この場合には、下屋根との流れ側の取り合い部において、外観意匠性、耐候性を向上させることができる。
【００１７】
また、上記寸法調整外壁板は、上記建物における下屋根との棟側の取り合い部、開口部の上側もしくは下側、或いはオーバーハング部に配置されており、上記寸法調整外壁板の上記切断端部は、上記端部施工金具によって上記構造躯体に固定されていてもよい（請求項４）。
この場合には、それぞれの部位において、外観意匠性、耐候性を向上させることができる。
【００１８】
また、上記留め付け金具及び上記端部施工金具は、上記構造躯体に固定された胴縁に対して固定されていることが好ましい（請求項５）。
この場合には、外壁板の裏側に通気層を充分に確保することができ、より耐久性に優れた外壁施工構造を得ることができる。
【００１９】
また、上記留め付け金具は、上記外壁板の裏側面に当接する基板部を有し、上記端部施工金具の上記背板部と上記留め付け金具の上記基板部とは、同等の前後幅を有していることが好ましい（請求項６）。
この場合には、不陸を生じさせることなく、上記寸法調整外壁板を含む全ての外壁板を、構造躯体に対して平行に、略同一平面上に留め付けることが可能となる。
【００２０】
また、上記外壁板は、焼成基材からなる窯業系外壁板であることが好ましい（請求項７）。
この場合には、特に、釘打ち施工が困難であるため、上記端部施工金具を用いる本発明の作用効果を充分に発揮することができる。
【実施例】
【００２１】
（実施例１）
本発明の実施例にかかる外壁施工構造につき、図１〜図６を用いて説明する。
本例の外壁施工構造１は、図１、図４に示すごとく、外壁板２を複数枚上下合決り接合しつつ留め付け金具５によって建物の構造躯体１０に留め付けてなる。
留め付け金具５は、下側に配される外壁板２の上辺に形成された上部下実２１と、上側に配される外壁板２の下辺に形成された下部上実２２とを係止した状態で、構造躯体１０に固定されている。
【００２２】
図１〜図３に示すごとく、上記複数枚の外壁板２のうち、上下幅を調整するために下方部分が切断された切断端部２３を有する寸法調整外壁板２０は、下部上実２２が切除されている。そのため、寸法調整外壁板２０の下辺は、留め付け金具５による留め付けができない。
そこで、寸法調整外壁板２０の切断端部２３については、端部施工金具３を介して構造躯体１０に固定されている。
【００２３】
上記端部施工金具３は、図１、図２、図５に示すごとく、構造躯体１０に固定される背板部３１と、該背板部３１の一端から前方へ屈曲した前方屈曲部３２とを有する。
端部施工金具３は、背板部３１を寸法調整外壁板２０の裏側面２６に当接させると共に、前方屈曲部３２を寸法調整外壁板２０の切断端面２３１に当接させて、該切断端面２３１を支持している。
そして、背板部３１と寸法調整外壁板２０の裏側面２６とは、接着剤１１によって互いに接着されている。
【００２４】
また、図１〜図３、図６に示すごとく、寸法調整外壁板２０は、建物における下屋根１２との流れ側の取り合い部１０１に配置されている。この場合、図３、図６に示すごとく、寸法調整外壁板２０の切断端部２３は、寸法調整外壁板２０の左右幅方向に対して傾斜しており、この傾斜した切断端部２３に沿って上記端部施工金具３が配設されている。従って、端部施工金具３も構造躯体１０に対して傾斜した状態で固定されている。
【００２５】
また、図１、図２、図４に示すごとく、留め付け金具５及び端部施工金具３は、胴縁１３を介して構造躯体１０に固定されている。具体的には、留め付け金具５は構造躯体１０に固定された縦胴縁１３１に、端部施工金具３は構造躯体１０に固定された横胴縁１３２に、それぞれ固定されている。なお、横胴縁１３２を使用せずに、縦胴縁１３１に直接固定してもよい。
留め付け金具５は、外壁板２の裏側面２６に当接すると共に構造躯体１０に固定される基板部５１と、該基板部５１から前方に立設された支承部５２と、該支承部５２から斜め上方へ屈曲した上板係止部５３と、上記支承部５２から斜め下方へ屈曲した下板係止部５４とを有する。
【００２６】
そして、図４に示すごとく、留め付け金具５は、下側の外壁板２の上部下実２１を下板係止部５４によって係止し、上側の外壁板２の下部上実２２を支承部５２によって支承すると共に上板係止部５３によって係止している。より具体的には、上板係止部５３は、外壁板２の下部上実２２における後方に形成された後方係止部２２１を係止している。
また、留め付け金具５は、ビス５６によって構造躯体１０に固定された縦胴縁１３１に固定されている。
【００２７】
また、図１に示すごとく、端部施工金具３の背板部３１と留め付け金具５の基板部５１とは、同等の前後幅を有している。即ち、背板部３１の前後幅ｄ１（図５）と基板部５１の前後幅ｄ２（図４）とが同等の寸法（例えば５ｍｍ程度）を有する。
上記留め付け金具５の基板部５１は、図４に示すごとく、下地材である胴縁１３に当接する下地当接部５１１と、該下地当接部５１１に対して前方に隆起して外壁板２の裏側面２６に当接する板裏当接部５１０とを有する。この下地当接部５１１と板裏当接部５１０との前後幅が、基板部５１の前後幅ｄ２となる。
【００２８】
また、端部施工金具３の背板部３１は、図１、図５に示すごとく、前方屈曲部３２形成側の端部とその反対側の端部においてそれぞれ胴縁１３に当接する第１当接部３１１と第２当接部３１２と、これら第１当接部３１１及び第２当接部３１２の間において前方に隆起して寸法調整外壁板２０の裏側面２６に当接する板裏当接部３１０とを有する。この第１当接部３１１及び第２当接部３１２と、板裏当接部３１０との前後幅が、背板部３１の前後幅ｄ１となる。
そして、図１、図４に示すごとく、外壁板２と胴縁１３との間に、端部施工金具３の背板部３１の前後幅ｄ１及び留め付け金具５の基板部５１の前後幅ｄ２と同等の間隔（例えば５ｍｍ程度）の通気層１８が形成される。
【００２９】
また、上記端部施工金具３は、厚みｔが約１．２ｍｍの鉄メッキ銅板からなる金属板を折り曲げ加工することにより得られる。
また、端部施工金具３は、例えば、左右幅ｗが約１８３６ｍｍ、上下幅ｈが約６０ｍｍの横長形状を有するものとすることができる。また、背板部３１の前後幅ｄ１は約５ｍｍ、前方屈曲部３２の長さａは約１３ｍｍとすることができる。従って、寸法調整外壁板２０の切断端面２３１を８ｍｍ程度の幅にて支持することができる。
また、図５に示すごとく、端部施工金具３は、背板部３１の第１当接部３１１において、ビス孔３３（直径５ｍｍ）を柱間隔等に合わせて、複数個設けている。また、前方屈曲部３２には、雨水が滞留しないようにするための開口孔３４が複数形成されている。
【００３０】
端部施工金具３は、ビス孔３３に挿通したビス（図示略）によって、構造躯体１０に固定された胴縁１３に固定される。
図１、図２に示すごとく、上記胴縁１３と上記構造躯体１０との間には、前方防水紙１４１、上側雨押え１５１、下側雨押え１５２、後方防水紙１４２が介在している。
また、外壁板２は、焼成基材からなる窯業系外壁板である。
【００３１】
なお、寸法調整外壁板２０は、上述した、下屋根１２との流れ側の取り合い部１０１以外にも、図６に示すような、下屋根１２との棟側の取り合い部１０２、開口部１６の上側もしくは下側、或いはオーバーハング部１０３にも配置されている。そして、それぞれの寸法調整外壁板２０における切断端部２３にも、端部施工金具３が配設されている。これらの部位における外壁施工構造については、後述する実施例２以降において説明する。
【００３２】
次に、本例の作用効果につき説明する。
上記外壁施工構造１においては、上記端部施工金具３を用いて、上記寸法調整外壁板２０の切断端部２３を構造躯体１０に固定している。そのため、上記切断端部２３において釘打ち施工を行う必要がない。これにより、優れた外観意匠性を確保することができる。即ち、上記寸法調整外壁板２０の切断端部２３を含めた全ての外壁板２を、金具（留め付け金具５及び端部施工金具３）によって施工することができるため、優れた外観を確保することができる。
【００３３】
また、上記のごとく切断端部２３についても金具施工を行うことができるため、釘打ち施工の場合のように、その後の補修塗装の必要もなく、施工効率の向上、施工コストの低減を実現することができる。
また、外壁板２に対して損傷を与えるおそれもないため、外壁板２の耐候性を充分に確保することができる。
【００３４】
また、留め付け金具５及び端部施工金具３は、胴縁１３を介して構造躯体１０に固定されているため、外壁板２の裏側に通気層１８を充分に形成することができ、より耐久性に優れた外壁施工構造１を得ることができる。
【００３５】
また、端部施工金具３の背板部３１と留め付け金具５の基板部５１とは、同等の前後幅を有しているため、不陸を生じさせることなく、寸法調整外壁板２０を構造躯体１０に対して平行に留め付けることができる。
【００３６】
また、外壁板２は、焼成基材からなる窯業系外壁板である。この焼成基材は、特に、釘打ち施工が困難であるため、端部施工金具３を用いる本発明の作用効果を充分に発揮することができる。
【００３７】
以上のごとく、本例によれば、外観意匠性、耐候性、施工性に優れた外壁施工構造を提供することができる。
【００３８】
（実施例２）
本例は、図７、図８に示すごとく、下屋根１２の棟側の取り合い部１０２における外壁施工構造１の例である。
即ち、上記取り合い部１０２に配された寸法調整外壁板２０の切断端部２３に、端部施工金具３を配設する。
本例においては、胴縁１３と構造躯体１０との間には、前方防水紙１４１と一枚の雨押え１５と後方防水紙１４２とが介在している。
その他は、実施例１と同様である。
【００３９】
本例の場合には、下屋根１２との棟側の取り合い部１０２において、外観意匠性、耐候性を向上させることができる。
その他、実施例１と同様の作用効果を有する。
【００４０】
（実施例３）
本例は、図９、図１０に示すごとく、窓等を配設する開口部１６の上側における外壁施工構造１の例である。
即ち、開口部１６の上側に配された寸法調整外壁板２０の切断端部２３に、端部施工金具３を配設する。
【００４１】
上記開口部１６の上側には、サッシ１６１が配設されており、該サッシ１６１の上方には、横胴縁１３２及び寸法調整外壁板２０が配設されている。該寸法調整外壁板２０は、開口部１０２の形状に沿って切断しており、開口部１０２の上側に切断端部２３が配される。
そして、該切断端部２３に端部施工金具３が配設されている。
【００４２】
また、切断端部２３とサッシ１６１との間にはシーリング材１６３が打設されており、該シーリング材１６３の後方にはバックアップ材１６４が配設されている。
また、横胴縁１３２と構造躯体１０との間には防水紙１４を配設すると共に、サッシ１６１と構造躯体１０とにわたって防水テープ１６５を貼着して、雨水の浸入を防いでいる。
その他は、実施例１と同様である。
【００４３】
本例の場合には、開口部１６の上側において、外観意匠性、耐候性を向上させることができる。
その他、実施例１と同様の作用効果を有する。
【００４４】
（実施例４）
本例は、図１１、図１２に示すごとく、窓等を配設する開口部１６の下側における外壁施工構造１の例である。
即ち、開口部１６の上側に配された寸法調整外壁板２０の切断端部２３に、端部施工金具３を配設する。
【００４５】
上記開口部１６の下側には、サッシ１６２が配設されており、該サッシ１６２の下方には、横胴縁１３２及び寸法調整外壁板２０が配設されている。該寸法調整外壁板２０は、開口部１０２の形状に沿って上部を切断しており、開口部１０２の下側に切断端部２３が配される。
そして、該切断端部２３に端部施工金具３が配設されている。
【００４６】
この場合、該端部施工金具３は、前方屈曲部３２が上側になるように配設されており、該前方屈曲部３２が、寸法調整外壁板２の切断端面２３１に上側から当接する。即ち、端部施工金具３は、実施例３の場合に対して上下逆向きに配設してある。
また、切断端部２３とサッシ１６２との間にはシーリング材１６３が配設されており、該シーリング材１６３の後方にはバックアップ材１６４が配設されている。
【００４７】
また、横胴縁１３２と構造躯体１０との間には防水紙１４を配設すると共に、サッシ１６２と構造躯体１０とにわたって防水テープ１６５を貼着して、雨水の浸入を防いでいる。
その他は、実施例１と同様である。
【００４８】
本例の場合には、開口部１６の下側において、外観意匠性、耐候性を向上させることができる。
その他、実施例１と同様の作用効果を有する。
【００４９】
（実施例５）
本例は、図１３、図１４に示すごとく、オーバーハング部１０３における外壁施工構造１の例である。
即ち、オーバーハング部１０３に配された寸法調整外壁板２０の切断端部２３に、端部施工金具３を配設する。
【００５０】
オーバーハング部１０３においては、その軒天部に軒天材１７１が配設され、該軒天材１７１の前端部にオーバーハング水切１７２が配設されている。そして、該オーバーハング水切１７２の上方に縦胴縁１３１と寸法調整外壁板２０が配設されている。この寸法調整外壁板２０の切断端部２３に、端部施工金具３を配設する。
また、胴縁１３と構造躯体１０との間には、防水紙１４が介在している。
その他は、実施例１と同様である。
【００５１】
本例の場合には、オーバーハング部１０３において、外観意匠性、耐候性を向上させることができる。
その他、実施例１と同様の作用効果を有する。
【００５２】
上記実施例以外にも、切断端部を有する寸法調整外壁板が配設される施工個所であれば、建物における他の部位にも、本発明を適用することができる。
【図面の簡単な説明】
【００５３】
【図１】実施例１における、外壁施工構造の断面図。
【図２】実施例１における、外壁施工構造の斜視図。
【図３】実施例１における、外壁施工構造の施工途中の状態の説明図。
【図４】実施例１における、通常の外壁板の留め付け状態を示す断面図。
【図５】実施例１における、端部施工金具の正面図、断面図、及び底面図。
【図６】実施例１における、建物の斜視図。
【図７】実施例２における、外壁施工構造の斜視図。
【図８】実施例２における、外壁施工構造の断面図。
【図９】実施例３における、外壁施工構造の斜視図。
【図１０】実施例３における、外壁施工構造の断面図。
【図１１】実施例４における、外壁施工構造の斜視図。
【図１２】実施例４における、外壁施工構造の断面図。
【図１３】実施例５における、外壁施工構造の斜視図。
【図１４】実施例５における、外壁施工構造の断面図。
【図１５】従来例における、外壁板の留め付け状態を示す断面図。
【図１６】従来例における、外壁施工構造の斜視図。
【符号の説明】
【００５４】
１  外壁施工構造
１０  構造躯体
１１  接着剤
２  外壁板
２０  寸法調整外壁板
２１  上部下実
２２  下部上実
２３  切断端部
２３１  切断端面
２６  裏側面
３  端部施工金具
３１  背板部
３２  前方屈曲部
５  留め付け金具
【図１】
2006207221.tif 000003
【図２】
2006207221.tif 000004
【図３】
2006207221.tif 000005
【図４】
2006207221.tif 000006
【図５】
2006207221.tif 000007
【図６】
2006207221.tif 000008
【図７】
2006207221.tif 000009
【図８】
2006207221.tif 000010
【図９】
2006207221.tif 000011
【図１０】
2006207221.tif 000012
【図１１】
2006207221.tif 000013
【図１２】
2006207221.tif 000014
【図１３】
2006207221.tif 000015
【図１４】
2006207221.tif 000016
【図１５】
2006207221.tif 000017
【図１６】
2006207221.tif 000018